(57)【特許請求の範囲】
【請求項１】
被写体を撮像して画像データを取得する撮像装置と、前記撮像装置内の色変換処理に使用されるパラメータを決定する情報処理装置とからなる画像処理システムであって、
前記情報処理装置には、
使用光源の異なる複数の画像データの各々について使用者の所望する色変換の情報を外部から取り込む入力手段と、
前記入力手段が使用光源毎に取り込んだ色変換の情報を参照し、それらの色変換に必要なパラメータを各使用光源毎に生成するパラメータ生成手段と、
前記パラメータ生成手段が使用光源毎に生成した複数組みのパラメータの情報を外部に送信する送信手段とが備えられ、
前記撮像装置には、
前記送信手段が送信した複数組みのパラメータの情報を外部から受信する受信手段と、
前記受信手段が受信した複数組みのパラメータを記憶する記憶手段と、
撮像時の使用光源を判別すると共に、前記記憶手段が記憶している複数組みのパラメータの中の１組みを前記判別の結果に応じて選択し、選択された１組みのパラメータを使用して撮像装置内部で行うべき色変換処理の設定を行う設定手段とが備えられる
ことを特徴とする画像処理システム。
【請求項２】
請求項１に記載の画像処理システムにおいて、
前記色変換処理には、色変換マトリクスが使用され、
前記パラメータは、前記色変換マトリクスの各要素である
ことを特徴とする画像処理システム。
【請求項３】
請求項１又は請求項２に記載の画像処理システムにおいて、
前記情報処理装置の前記入力手段は、
前記撮像装置内の撮像素子と同じ特性の撮像素子により取得された画像を使用者に呈示し、その画像を編集させることにより前記所望する色変換の情報を取り込む
ことを特徴とする画像処理システム。
【請求項４】
請求項１〜請求項３の何れか一項に記載の画像処理システムにおいて、
前記情報処理装置の前記入力手段は、
前記色変換の情報として、色相変化角度、彩度変化率の少なくとも一方を取り込む
ことを特徴とする画像処理システム。
【請求項５】
請求項１〜請求項３の何れか一項に記載の画像処理システムにおいて、
前記情報処理装置の前記入力手段は、
前記色変換の情報として、使用者の注目する注目色、及びそれに対し使用者の所望する希望色を取り込む
ことを特徴とする画像処理システム。
【発明の詳細な説明】
【０００１】
【発明の属する技術分野】
本発明は、撮像装置と情報処理装置とからなる画像処理システムに関する。
【０００２】
【従来の技術】
電子カメラなどの撮像装置のユーザは、撮影した各画像をコンピュータに取り込み、フォトレタッチソフト上で一枚ずつ編集してそれぞれ好みの色にすることが可能である。
【０００３】
【発明が解決しようとする課題】
しかし、ユーザの編集の傾向が、例えば、空の青色を鮮やかにする、人肌を赤色に近づけるなど、予め決まっている場合、フォトレタッチソフト上での編集作業を画像毎に行うのは非効率的である。
【０００４】
そこで本発明は、編集作業の手間を必要最小限に抑えつつ、ユーザの所望する色の画像を得ることを可能とする画像処理システムを提供することを目的とする。
【０００５】
【課題を解決するための手段】
本発明の画像処理システムは、被写体を撮像して画像データを取得する撮像装置と、前記撮像装置内の色変換処理に使用されるパラメータを決定する情報処理装置とからなる画像処理システムであって、前記情報処理装置には、使用光源の異なる複数の画像データの各々について使用者の所望する色変換の情報を外部から取り込む入力手段と、前記入力手段が使用光源毎に取り込んだ色変換の情報を参照し、それらの色変換に必要なパラメータを各使用光源毎に生成するパラメータ生成手段と、前記パラメータ生成手段が使用光源毎に生成した複数組みのパラメータの情報を外部に送信する送信手段とが備えられ、前記撮像装置には、前記送信手段が送信した複数組みのパラメータの情報を外部から受信する受信手段と、前記受信手段が受信した複数組みのパラメータを記憶する記憶手段と、撮像時の使用光源を判別すると共に、前記記憶手段が記憶している前記複数組みのパラメータの中の１組みを前記判別の結果に応じて選択し、選択された１組みのパラメータを使用して撮像装置内部で行うべき色変換処理の設定を行う設定手段とが備えられることを特徴とする。
【０００６】
なお、前記色変換処理には、色変換マトリクスが使用され、前記パラメータは、前記色変換マトリクスの各要素であってもよい。
また、前記情報処理装置の前記入力手段は、前記撮像装置内の撮像素子と同じ特性の撮像素子により取得された画像を使用者に呈示し、その画像を編集させることにより前記所望する色変換の情報を取り込んでもよい。
【０００７】
また、前記情報処理装置の前記入力手段は、前記色変換の情報として、色相変化角度、彩度変化率の少なくとも一方を取り込んでもよい。
また、前記情報処理装置の前記入力手段は、前記色変換の情報として、使用者の注目する注目色、及びそれに対し使用者の所望する希望色を取り込んでもよい。
【００１６】
【発明の実施の形態】
以下、図面を参照して本発明の実施形態について説明する。
［第１実施形態］
図１、図２、図３、図４を参照して本発明の第１実施形態について説明する。
図１は、本実施形態の画像処理システムの構成を示すブロック図である。
【００１７】
画像処理システムは、通信回路（Ｉ／Ｆ）１０８，２０６を介して互いに通信可能な電子カメラ１とコンピュータ２とからなる。
電子カメラ１には、通信回路１０８の他、ＣＰＵ１０１、ＲＡＭ１０２、ＲＯＭ１０３、撮像素子１０４、アナログ処理回路１０５、Ａ／Ｄ変換回路１０６、画像処理回路（ＡＳＩＣなどからなる）１０７、撮像素子駆動回路１０９、タイミングジェネレータ（ＴＧ）１１０、メモリカード１１１、スイッチ１１４などが備えられる（なお、図１において、符号１１２はレンズ駆動回路、符号１１３は焦点検出回路である。）。
【００１８】
ここで、ＲＯＭ１０３は、書き換え可能なＥＥＰＲＯＭなどのＲＯＭである（以下、ＥＥＰＲＯＭとする。）。
また、画像処理回路１０７は、ホワイトバランス処理回路１０７ａ、色変換回路１０７ｂ、階調変換回路１０７ｃ、不図示の符号化回路などからなる。
電子カメラ１では、スイッチ１１４が操作されユーザから焦点調節の指示がなされると、ＣＰＵ１０１は焦点検出回路１１３を駆動し、その検出結果に基づき、レンズ駆動回路１１２を駆動する。レンズ駆動回路１１２は不図示の撮像レンズを駆動して被写体の像を撮像素子１０４上に結像させる。
【００１９】
さらに、スイッチ１１４が操作されユーザから撮像の指示がなされると、ＣＰＵ１０１は、撮像素子駆動回路１０９を介して撮像素子１０４を駆動し、撮像を行う。撮像素子１０４が取得した画像データは、アナログ処理回路１０５及びＡ／Ｄ変換回路１０６を介して画像処理回路１０７に入力される。
なお、ＴＧ１１０は、アナログ処理回路１０５、Ａ／Ｄ変換回路１０６、撮像素子駆動回路１０９、画像処理回路１０７等の動作のタイミングを制御する。
【００２０】
上記取得された画像データは、画像処理回路１０７内のホワイトバランス処理回路１０７ａにおけるホワイトバランス処理、色変換回路１０７ｂにおける色変換処理、階調変換回路１０７ｃにおける階調変換処理が施された後、必要に応じて符号化され、メモリカード１１１に格納される。なお、画像データは、メモリカード１１１に格納されることなく、通信回路１０８を介して外部に送信されてもよい。
【００２１】
ここで、本実施形態のＥＥＰＲＯＭ１０３には、少なくとも、色変換回路１０７ｂで使用される色変換マトリクスＭの情報（マトリクス情報）が格納されている。
色変換マトリクスＭは、例えば、３×３のマトリクスであり、９つのパラメータｍ11，ｍ12，ｍ13，ｍ21，ｍ22，ｍ23，ｍ31，ｍ32，ｍ33により規定される（以下、３×３のマトリクスとする。）。
【００２２】
そして、画像データに対する色変換処理に当たっては、ＣＰＵ１０１がＥＥＰＲＯＭ１０３内のマトリクス情報を参照し、そのマトリクス情報が示している色変換マトリクスＭを、色変換回路１０７ｂに設定する。色変換回路１０７ｂは、入力される各信号に対しその設定された色変換マトリクスＭを乗算することで色変換処理を行う。
【００２３】
次に、コンピュータ２には、通信回路２０６の他、ＣＰＵ２０１、メモリ２０２、記憶装置（ＨＤなど）２０３、入力器（キーボード、マウスなど）２０５、表示装置２０４などが備えられる。なお、記憶装置２０３、入力器２０５は、コンピュータに外付けされていてもよい。
ここで、本実施形態のコンピュータ２には、電子カメラ１に対するパラメータ決定プログラム（図２参照）が予めインストールされており、ＣＰＵ２０１はそのプログラムに従ってコンピュータ２の各部を以下のように動作させる（なお、インストールは、記憶媒体を介して行われてもインターネットなどの通信網を介して行われてもよい。）。
【００２４】
このパラメータ決定プログラムには、ユーザに画像を編集させる処理の手順が含まれるが、その際のマンマシンインタフェースとして表示装置２０４と入力器２０５とが使用される。以下、コンピュータ２にＧＵＩ（グラフィックユーザインタフェース）が搭載されており、ユーザからコンピュータ２に対する指示は、ＧＵＩを介して行われるとの前提で説明する。
【００２５】
また、本実施形態のコンピュータ２の何れかの記憶部（記憶装置２０３又はメモリ２０２）には、電子カメラ１により取得された画像データが格納されている。この画像データは、電子カメラ１内の撮像素子１０４が取得したものでなくとも、その撮像素子１０４と同じ特性の撮像素子が取得したものであればよい。但し、この画像データは、色変換が施される前のデータ、又は、電子カメラ１の製造時に予め設定された標準の色変換のみが施されたデータである。
【００２６】
図２は、本実施形態のコンピュータ２にインストールされるパラメータ決定プログラムを説明する図である。
電子カメラ１のパラメータ決定プログラムが起動されると、表示装置２０４には、例えば図３（ａ）に示すような編集画面２０４ａが表示される（ステップＳ１）。
【００２７】
編集画面２０４ａには、前記画像データに基づく画像（被写体の画像）２０４ｄ、画像の色相をユーザが所望する角度だけ変更するための画像（以下、スライドバーとする。）２０４ｂ、画像の彩度をユーザが所望する割合だけ変更するための画像（以下、スライドバーとする。）２０４ｃが配置される。
例えば、スライドバー２０４ｂは、色相変更角度を−９０°〜＋９０°の範囲で変更し、スライドバー２０４ｃは、彩度変化率を−１００％〜＋１００％の範囲で変更する。
【００２８】
なお、被写体の画像２０４ｄと、スライドバー２０４ｂ、２０４ｃとは、図３（ａ）に示したような関係でなくとも、例えば図３（ｂ）に示したような関係で編集画面２０４ａに配置されてもよい。
また、編集画面２０４ａには、ユーザが編集作業を終えたことをコンピュータ２に通知するための画像（以下、確定釦とする。）２０４ｅが配置される。
【００２９】
ユーザが編集画面２０４ａ上でスライドバー２０４ｂ、２０４ｃを操作すると、その操作に応じて、表示中の被写体の画像２０４ｄも色変換される。ユーザは、編集画面２０４ａを目視してスライドバー２０４ｂ、２０４ｃを操作し、被写体の画像２０４ｄの色が好みの色になった時点で確定釦２０４ｅを選択すれば、確定通知をコンピュータ２に与えることができる（ステップＳ２YES）。
【００３０】
コンピュータ２は、確定通知があった時点のスライドバー２０４ｂ、２０４ｃの状態から、色相変更角度θ及び彩度変化率αを参照し（ステップＳ３）、それらθ及びαに応じて色変換マトリクスＭ、つまり、９つのパラメータ（ｍ11，ｍ12，ｍ13，ｍ21，ｍ22，ｍ23，ｍ31，ｍ32，ｍ33）を決定する（ステップＳ４）。
色変換マトリクスＭが決定すると、それを示すマトリクス情報が、通信回路２０６を介して電子カメラ１へ送信される（ステップＳ５）。
【００３１】
図４は、本実施形態の電子カメラ１内のＣＰＵ１０１の動作を説明する図である。なお、図４では、本発明に関する手順のみを示した。
前述したマトリクス情報を電子カメラ１が通信回路１０８を介して受信すると（ステップＳ２１YES）、そのマトリクス情報はＥＥＰＲＯＭ１０３に書き込まれる（ステップＳ２２）。
【００３２】
その後、ユーザによる指示の下で撮像が行われる際には（ステップＳ２３YES）、このマトリクス情報に示される色変換マトリクスＭが、色変換回路１０７ｂに設定される。したがって、色変換回路１０７ｂに入力される画像データには、その色変換マトリクスＭによる色変換処理が施される（ステップＳ２４）。
この色変換マトリクスＭは、予めユーザがコンピュータ２上で編集して得たものなので、変換後の画像は、ユーザの好みの色となる。
【００３３】
また、新たなマトリクス情報Ｍが受信されＥＥＰＲＯＭ１０３が書き換えられない限り（ステップＳ２１NO）、各撮像で得た各画像データには、それと同じ色変換が施される（ステップＳ２３YES、ステップＳ２４）。
以上、本実施形態の画像処理システムによれば、コンピュータ２上で行われたユーザによる編集内容が電子カメラ１内のパラメータ（ここでは、色変換マトリクスＭの各要素）に反映されるので、その後ユーザは、電子カメラ１で撮影をするだけで、所望する色の画像を得ることが可能となる。
【００３４】
［第２実施形態］
図５、図６を参照して本発明の第２実施形態について説明する。以下、第１実施形態との相違点についてのみ説明する。
本実施形態の画像処理システムにも、第１実施形態と同様、電子カメラとコンピュータとが配置される。
【００３５】
図５は、本実施形態のコンピュータにインストールされるパラメータ決定プログラムを説明する図である。
図６は、本実施形態のコンピュータが表示する編集画面２１４ａを示す図である。
第１実施形態では、図３に明らかなように、色相変化角度、彩度変化率の少なくとも一方をユーザに指定させ、それに応じて色変換マトリクスＭを決定したが、本実施形態では、ユーザの注目色、及びその注目色を如何なる色に変換させたいか（希望色）を指定させ、それに応じて色変換マトリクスＭを決定する。
【００３６】
そこで、本実施形態のコンピュータがパラメータ決定プログラムの起動後（図５のステップＳ３１）に表示する編集画面２１４ａには、例えば図６に示すように、ユーザが注目色を指定するための被写体の画像２０４ｄ、及び、ユーザが希望色を指定するための図（以下、色度図とする。）２１４ｂが配置される。因みに、図６に示した色度図２１４ｂは、Ｌａ*ｂ*空間のａ*ｂ*平面（色相及び彩度を表す平面）である。
【００３７】
また、この編集画面２１４ａにも、ユーザが編集作業を終えたことをコンピュータに通知するための画像（以下、確定釦とする。）２０４ｅが配置される。
本実施形態では、被写体の画像２０４ｄ上でユーザが或る部分を指定すれば、その部分の色が注目色とみなされる。コンピュータは、色度図２１４ｂ上において前記注目色に対応する位置に、何らかのマーク（図６では黒点）を配置する。
【００３８】
例えば、ユーザが人の肌の色を重視する場合、図６（ａ）に示すように、被写体の画像２０４ｄの上で人の肌の部分を指定すれば、その肌の色が注目色とみなされ、色度図２１４ｂ上でその色を示す位置（ａ*ｂ*平面では右上）にマークが配置される。
一方、ユーザが草の色を重視する場合、図６（ｂ）に示すように、被写体の画像２０４ｄの上で草の部分を指定すれば、その草の色が注目色とみなされ、色度図２１４ｂ上でその色を示す位置（ａ*ｂ*平面では左上）にマークが配置される。
【００３９】
その後、色度図２１４ｂ上で別の或る位置（例えば、図６（ａ）（ｂ）中の矢印で示す位置）をユーザが指定すると、その位置に相当する色が希望色とみなされる。
なお、ユーザが注目色や希望色の色相及び彩度を直感的に把握できるよう、色度図２１４ｂは、カラー表示されることが好ましい。
【００４０】
また、ユーザが編集画面２０４ａ上で希望色を指定すると、その操作に応じて、表示中の被写体の画像２０４ｄにおいても注目色が希望色へと色変換されることが好ましい。
ユーザは、編集画面２１４ａを目視しつつ色度図２１４ｂ上で希望色を指定してから確定釦２０４ｅを選択すれば、確定通知をコンピュータに与えることができる（図５のステップＳ２YES）。
【００４１】
コンピュータは、確定釦２０４ｅが選択された時点（図５のステップＳ２YES）におけるユーザの注目色及び希望色を参照し（図５のステップＳ３３）、注目色を希望色へと変換させるための色変換マトリクスＭ（パラメータｍ11，ｍ12，ｍ13，ｍ21，ｍ22，ｍ23，ｍ31，ｍ32，ｍ33）を決定し（図５のステップＳ３４）、第１実施形態と同様にマトリクス情報を電子カメラへ送信する（図５のステップＳ５）。
【００４２】
本実施形態の電子カメラでも、第１実施形態と同様にそのマトリクス情報に基づいた色変換処理が行われる。
以上、本実施形態の画像処理システムにおいても、コンピュータ上で行われたユーザによる編集内容が電子カメラ内のパラメータに反映されるので、その後ユーザは、電子カメラで撮影をするだけで、所望する色の画像を得ることが可能となる。
【００４３】
なお、本実施形態では、ユーザの編集内容が色変換回路１０７ｂ（図１参照）で使用される色変換マトリクスＭに反映されたが、階調変換回路１０７ｃ（図１参照）で使用されるルックアップテーブルに反映されてもよい。
因みに、この場合、コンピュータから電子カメラ（電子カメラ内のＥＥＰＲＯＭ１０３）へと受け渡される情報は、階調変換回路１０７ｃで使用されるべきルックアップテーブルの内容を示す情報（プロファイル情報）となる。また、ＣＰＵ１０１は階調変換処理を行うに当たって、そのプロファイル情報を参照し、そのプロファイル情報が示しているルックアップテーブルを階調変換回路１０７ｃに設定する。階調変換回路１０７ｃは、入力される各信号にその設定されたルックアップテーブルによる変換をすることで階調変換処理を行う。
【００４４】
また、本実施形態で決定されるパラメータ（色変換マトリクスＭの各要素、又はルックアップテーブルの内容）は、ユーザの注目色を希望色に変換するだけでなく、注目色の周辺色も注目色と同様の方向に変換するものであることが好ましい。
［第３実施形態］
図７、図８を参照して本発明の第３実施形態について説明する。以下、第１実施形態との相違点についてのみ説明する。
【００４５】
第１実施形態の前提は、画像の色に対するユーザの好み（例えば、「肌色を赤くしたい」など）が１つに決まっていることであるが、実際は、太陽光の下で撮影された画像と、蛍光灯の下で撮影され画像と、白熱灯の下で撮影された画像とでは、同じ効果を得るときの色変換に要するパラメータが異なる。
【００４６】
そこで、本実施形態の画像処理システムは、撮影時に使用された光源（使用光源）の相違にも柔軟に対応できるよう構成される。
図７は、本実施形態の電子カメラ内のＥＥＰＲＯＭに書き込まれるマトリクス情報を説明する図である。
本実施形態のコンピュータから電子カメラへと受け渡されるマトリクス情報は、単一の色変換マトリクスＭではなく、複数種の色変換マトリクスＭ１，Ｍ２，Ｍ３，・・・のそれぞれを示す。
【００４７】
そして、電子カメラでは、それら色変換マトリクスＭ１，Ｍ２，Ｍ３，・・・のうち１つが選択的に使用される。
図８は、本実施形態のコンピュータが表示する編集画面２０４ａを説明する図である。
これを実現するため、本実施形態のコンピュータでは、ユーザによる編集が、例えば、図８（ａ）（ｂ）（ｃ）に示すように、使用光源の異なる各画像についてそれぞれ行われる。因みに、図８（ａ）（ｂ）（ｃ）に示した各被写体の画像２０４ｄは、それぞれ使用光源が、太陽光、蛍光灯、白熱灯であるときの画像である（以下、これら３種類の画像について編集が行われたとする。）。
【００４８】
上記したように、ユーザが人の肌を同じ色にするよう編集したとしても、使用光源が異なれば、各画像に対して施される編集内容は互いに異なるので、コンピュータは、各画像に対するユーザの編集内容に基づきそれぞれ色変換マトリクスＭ１，Ｍ２，Ｍ３を生成し、電子カメラへ送信すべきマトリクス情報を、それら各色変換マトリクスＭ１，Ｍ２，Ｍ３を示すものとする。
【００４９】
なお、情報の送信の仕方については、複数の色変換マトリクスＭ１，Ｍ２，Ｍ３の全体を示すマトリクス情報が一回送信されるだけでなく、色変換マトリクスＭ１，Ｍ２，Ｍ３の一部のみを示すマトリクス情報が逐次送信されてもよい。
【００５０】
ところで、電子カメラ内で選択使用が可能となるためには、複数種の色変換マトリクスＭ１，Ｍ２，Ｍ３は、互いに峻別可能となっている必要がある。
そこで、本実施形態のコンピュータは、各色変換マトリクスＭ１，Ｍ２，Ｍ３のそれぞれに識別情報（ここでは、使用光源の種類を示す情報とする。）を付与する。
【００５１】
因みに、各画像の使用光源の種類は、その画像の画像データからコンピュータが自動的に判別しても、ユーザに入力させてもよい。
そして、電子カメラは、撮像が行われる毎に、撮像で取得した画像の使用光源（撮像すべき被写体を照明している光源）の種類を判別し、それが白熱灯である場合には、白熱灯用の色変換マトリクス（図７によるとＭ３）を選択使用（色変換回路に設定）し、それが蛍光灯である場合には、蛍光灯用の色変換マトリクス（図７によるとＭ１）を選択使用（色変換回路に設定）し、それが太陽光である場合には、太陽光用の色変換マトリクス（図７によるとＭ２）を選択使用（色変換回路に設定）する。
【００５２】
以上、本実施形態の画像処理システムは、複数種類のパラメータ（ここでは、複数種類の色変換マトリクス）を電子カメラに記憶させ、かつ、それらを選択使用するので、ユーザの好みにより柔軟に適応できる。
なお、本実施形態では、複数のパラメータが、使用光源毎に用意されたが、例えば、画像内の主要被写体の色毎に用意されたり、画像の輝度毎に用意されたりしてもよい。
【００５３】
また、本実施形態では、複数のパラメータのうち選択されたものがそのまま色変換処理に使用されたが、選択されたパラメータを（画像の輝度などに応じて）補正してから使用するよう電子カメラを構成してもよい。
また、電子カメラ内に、パラメータを自動生成する機能が予め設けられている場合、その自動生成されたパラメータと、前記複数のパラメータのうちそれに最も近いものとに基づいて、実際に使用すべきパラメータを生成するよう電子カメラを構成してもよい。
【００５４】
また、本実施形態では、複数のパラメータの１つを選択使用するのは電子カメラ自身であるが、ユーザが任意に選択使用できるよう電子カメラを構成してもよい。
その場合、予め任意の各種のパラメータを用意し、ユーザが撮影時の気分等に応じてそれらを選択使用することなどが可能になる。
【００５５】
また、一回の撮影で取得した画像データに対し、各種のパラメータのそれぞれにより色変換を施し、様々な色合いの画像を一度に取得するよう電子カメラを構成してもよい。
また、電子カメラを複数のユーザが共同使用する場合、ユーザ毎にパラメータを用意してもよい。
【００５６】
［その他］
なお、以上各実施形態では、電子カメラとコンピュータとが直接通信して情報が受け渡されているが、記録媒体、通信網、人手などを介して受け渡されてもよい。
また、上記各実施形態において、コンピュータの一部又は全部の機能は、電子カメラ側に搭載されていてもよい。
また、各実施形態において、コンピュータ上での編集時に使用される画像は、被写体を撮像したものでなくとも、各彩度各色相の色見本からなるチャートを撮像したものであってもよい。
【００５７】
【発明の効果】
以上説明したとおり本発明によれば、編集作業の手間を必要最小限に抑えつつ、ユーザの所望する色の画像を得ることを可能とする画像処理システムが実現する。
【図面の簡単な説明】
【図１】第１実施形態の画像処理システムの構成を示すブロック図である。
【図２】第１実施形態のコンピュータ２にインストールされるパラメータ決定プログラムを説明する図である。
【図３】第１実施形態の編集画面２０４ａを示す図である。
【図４】第１実施形態の電子カメラ１内のＣＰＵ１０１の動作を説明する図である。
【図５】第２実施形態のコンピュータにインストールされるパラメータ決定プログラムを説明する図である。
【図６】第２実施形態のコンピュータが表示する編集画面２１４ｂを示す図である。
【図７】第３実施形態の電子カメラ内のＥＥＰＲＯＭに書き込まれるマトリクス情報を説明する図である。
【図８】第３実施形態のコンピュータが表示する編集画面２０４ａを示す図である。
【符号の説明】
１  電子カメラ
２  コンピュータ
１０１  ＣＰＵ
１０２  ＲＡＭ
１０３  ＲＯＭ（ＥＥＰＲＯＭ）
１０４  撮像素子
１０５  アナログ処理回路
１０６  Ａ／Ｄ変換回路
１０７  画像処理回路
１０７ａ  ホワイトバランス処理回路
１０７ｂ  色変換回路
１０７ｃ  階調変換回路
１０８，２０６  通信回路（Ｉ／Ｆ）
１０９  撮像素子駆動回路
１１０  タイミングジェネレータ（ＴＧ）
１１１  メモリカード
１１２  レンズ駆動回路
１１３  焦点検出回路
１１４  スイッチ
２０１  ＣＰＵ
２０２  メモリ
２０３  記憶装置
２０４  表示装置
２０５  入力機
２０４ａ，２１４ａ  編集画面
２０４ｂ，２０４ｃ  スライドバー
２０４ｄ  被写体の画像
２０４ｅ  確定釦
２１４ｂ  色度図
【図１】
0004051979.tif 000002
【図２】
0004051979.tif 000003
【図３】
0004051979.tif 000004
【図４】
0004051979.tif 000005
【図５】
0004051979.tif 000006
【図６】
0004051979.tif 000007
【図７】
0004051979.tif 000008
【図８】
0004051979.tif 000009